(57)【特許請求の範囲】
【請求項１】
チェーン先端に取付けた輪状掛金具を挿入することができる横長孔が中空のポールに形成され、この横長孔の上縁に沿った中空ポールの内側面に前記した横長孔から挿入した輪状掛金具を掛止めるチェーン止め鉤が設けられたものであって、横長孔の両端部を上方に膨らませた膨大部となし、指先でつかんで横長孔に挿入した輪状掛金具を指先から放すと、この輪状掛金具がチェーンの自重により膨大部の下縁を中心に回動して前記チェーン止め鉤に掛止められることを特徴とするチェーン先端の輪状掛金具掛止め装置。
【発明の詳細な説明】
【０００１】
【発明の属する技術分野】
本発明は、車止め柵柱に用いるチェーン先端の輪状掛金具掛止め装置に関するものである。特に、チェーン先端の輪状掛金具を横長孔に挿入し、輪状掛金具をつかんだ指先を放すと自動的に引っ掛かってチェーンを車止め柵柱に掛止めるものである。
【０００２】
【従来の技術】
従来、車止め柵柱のチェーン先端に取付けた掛金具の掛止め装置に、チェーン先端金具を挿し入れる横長孔を、上下一定の幅で形成したものがあった。
【０００３】
この従来例では、掛金具を中空ポールの内側面に設けられたチェーン止め鉤に掛止するために、この掛金具を指先でつかんで横長孔に挿し入れ、掛金具の基部をつかんだ指先で掛金具の先端を上方に押し上げてこの掛金具をチェーン止め鉤に引っ掛けていた。
【０００４】
【発明が解決しようとする課題】
しかしながら、従来のチェーン先端に取付けた掛金具の掛止め装置は、この掛金具を中空ポールに設けたチェーン止め鉤に引っ掛けるのに、掛金具の基部をつかんだ指先を働かせて掛金具の先端を押し上げる必要があり、手間が掛かるという問題点があった。
【０００５】
また、従来の装置は、横長孔の上下幅が一定となっていたため、挿し入れた掛金具の上下可動量が少ないため、チェーン止め鉤にうまく容易に引っ掛からないという問題点があった。
【０００６】
そのため、チェーン止め鉤を横長孔の上縁から下方に突出させて、掛金具が引っ掛かり易い位置に設ける必要があるが、突出しすぎると、掛金具を横長孔に挿し入れる際に邪魔になったり、チェーン止め鉤が横長孔から露出して体裁が悪いという問題が生じていた。
【０００７】
そこで本願発明は、このような問題点を解決したチェーン先端の輪状掛金具掛止め装置を提供することを目的としたものである。
【０００８】
【課題を解決するための手段】
前述した目的を達成するために、本願発明は、チェーン先端に取付けた輪状掛金具を挿入することができる横長孔が中空のポールに形成され、この横長孔の上縁に沿った中空ポールの内側面に前記した横長孔から挿入した輪状掛金具を掛止めるチェーン止め鉤が設けられたものであって、横長孔の両端部を上方に膨らませた膨大部となし、指先でつかんで横長孔に挿入した輪状掛金具を指先から放すと、この輪状掛金具がチェーンの自重により膨大部の下縁を中心に回動して前記チェーン止め鉤に掛止められることを特徴とする。
【０００９】
ここで横長孔の両端部を上方に膨らませて膨大部となしたのは、横長孔に挿し入れたチェーンの先端に取付けた輪状掛金具の上下可動量を増加させ、指先から放れた輪状掛金具がチェーンの自重により、この膨大部の下縁を中心としての回動を可能にするためである。
【００１０】
このように、輪状掛金具の上下可動量が増え、膨大部の下縁を中心とする回動が可能になると、チェーン止め鉤を中空ポールの内側面に隠れた位置に設けても、輪状金具は、チェーン止め鉤に自動的に容易に掛止可能となる。
【００１１】
【発明の実施の形態】
以下、添付図面に示す実施例に基づき、本発明に係るチェーン先端の輪状掛金具掛止め装置の実施の形態を詳細に説明する。
【００１２】
図１は、本発明に係るチェーン先端の輪状掛金具掛止め装置の要部正面図で、図２は、チェーン先端に取付けた輪状掛金具をチェーン止め鉤に掛止めた状態の要部正面図で、図３は、図２のＡ−Ａ線断面図である。
【００１３】
図面に示すポールは、ステンレス鋼製の中空パイプで作製したものである。この中空ポール１の上方部に、チェーン２の先端に取付けた輪状掛金具２１を抜き挿しすることのできる横長孔３を設けている。この横長孔３は、中空ポール１の中心軸に対して直交するように形成してあり、この横長孔の両端部は、図１に示すように、上方を膨らませて膨大部３１，３１となされている。
【００１４】
チェーン２の先端に取付けた輪状掛金具２１は、孔の開いた円板状のものであっても、トライアングルや矩形状等の任意形状の輪状金具であってもよい。また、横長孔３は、輪状掛金具２１が挿し入れられ、この輪状掛金具２１が回動できる孔であれば任意形状の孔としてもよい。
【００１５】
チェーン止め鉤４は、中空ポール１の内側面に取付けた垂下片４１の下端を、中空ポール１の中心軸方向に湾曲して湾曲部４２を形成したものである。そして、この下端湾曲部４２は、図示のように、横長孔３の両端部に形成した膨大部３１，３１の中間部３２に設けている。
【００１６】
これは、横長孔３の両端部を膨大部３１，３１としたから、輪状掛金具２１の上下可動量が増え、湾曲部４２を横長孔３の上縁に沿った中空ポール１の内側面の隠れた位置に設けても、湾曲部４２に輪状掛金具２１の掛止が容易となるためである。
【００１７】
このチェーン止め鉤４は、図示のように、幅のある板状としたが、一本又は複数本の先の曲がった棒を用いてもよい。
【００１８】
また、チェーン止め鉤４の垂下片４１の先端を、中空ポール１の中心軸方向に湾曲する湾曲部４２としたが、必ずしも湾曲部とする必要はなく、中空ポール１中心軸方向に突出する突起物で、輪状掛金具２１を掛止するものであればよい。
【００１９】
本発明のチェーン先端の輪状掛金具掛止め装置を使用するにあたっては、チェーン２の先端に取付けた輪状掛金具２１を指先でつかんで横長孔３に挿し入れ、この輪状掛金具２１より指先を放す。すると、輪状掛金具２１は、チェーン２の自重により、横長孔３の膨大部３１，３１の下縁を中心として図２，図３に示すように回動する。
【００２０】
このことにより、輪状掛金具２１の先端は、チェーン止め鉤４の湾曲部４２に掛止される。輪状掛金具の掛止めにあたって横長孔３に挿し入れた輪状掛金具２１の基部を指先で押し上げる手間を省くことができる。
【００２１】
【発明の効果】
チェーン先端に取付けた輪状掛金具を横長孔に挿し入れ、指先を放すと、輪状掛金具は、チェーンの自重により横長孔の膨大部の下縁を中心として回動し、この輪状掛金具の先端がチェーン止め鉤に簡単に掛止し、チェーンの掛止を容易に行うことができる。
【００２２】
横長孔の両端部に形成した両膨大部間位置の中空ポール内側面において、横長孔に沿ってチェーン止め鉤を設けることができるので、チェーン止め鉤は、外から見えず、体裁がよくなる。
【００２３】
チェーン止め鉤は、横長孔の上縁から下方に突出しないから輪状掛金具をこの横長孔に挿し入れる際に、邪魔にならない。
【図面の簡単な説明】
【図１】本発明に係るチェーン先端の掛金具掛止め装置の要部正面図である。
【図２】輪状掛金具をチェーン止め鉤に掛止めた状態の要部正面図である。
【図３】図２のＡ−Ａ線断面図である。
【符号の説明】
１  中空ポール
２  チェーン
２１  輪状掛金具
３  横長孔
３１  膨大部
３２  膨大部の中間部
４  チェーン止め鉤
４１  垂下片
４２  先端湾曲部
【図１】
0003827401.tif 000002
【図２】
0003827401.tif 000003
【図３】
0003827401.tif 000004